(57)【要約】【課題】側面部材が、折り畳まれたときにサイト片に並んで接し、フレームで保護される眼鏡を具体化することである。【解決手段】少なくともサイト片（２）と、サイト片（２）か、サイト片に割り当てられたフレーム（３）に接合され、実質的に水平な枢軸（１４）の周りに旋回できる二つの側面部材（４）を備えて成る眼鏡において、側面部材（４）が、サイト片（２）の内側に向かって１８０度旋回できることにより達成される。【選択図】図１
2004526991.tif 000002
【特許請求の範囲】
【請求項１】
少なくとも一つのサイト片（２）と、該サイト片（２）または該サイト片に割り当てられたフレーム（３）に接合され、実質的に水平な枢軸（１４）の周りに旋回できる二つの側面部材（４）とを備えて成る眼鏡において、上記側面部材（４）が、上記サイト片（２）の内側に向かって１８０度旋回できることを特徴とする眼鏡。
【請求項２】
上記サイト片（２）と上記側面部材（４）が屈曲部を有し、該側面部材（４）の曲率半径R２が、上記サイト片（２）の曲率半径と少なくともほぼ一致することを特徴とする、請求項１に記載の眼鏡。
【請求項３】
上記側面部材（４）が、折り畳まれたときに、上記サイト片（２）からの上記側面部材（４）の距離が変化するように、上記サイト片（２）に旋回可能に備えられていることを特徴とする、請求項１に記載の眼鏡。
【請求項４】
ベアリング（１３）が、穴（８）と係合するピン（１０）により形成されており、該ピン（１０）のヘッド（１２）が、上記穴（８）の直径D２を超えて突出していることを特徴とする、請求項３に記載の眼鏡。
【請求項５】
上記ヘッド（１２）が、スリット（１５）によって分割されていることを特徴とする、請求項４に記載の眼鏡。
【請求項６】
上記ピン（１０）と側面部材（４）が単一の片で形成されていることを特徴とする、請求項１に記載の眼鏡。
【発明の詳細な説明】
【技術分野】
【０００１】
本発明は、少なくとも一つのサイト片と、サイト片かサイト片に割り当てられた（あるいは付設された）フレームに接合され、実質的に水平な枢軸の周りに旋回できる二つの側面部材とを備えて成る眼鏡に関するものである。
【背景技術】
【０００２】
眼鏡をかけていないときは、側面部材を折り畳んで、従来通りスペースを有効利用できる。蝶番によって側面部材を折り畳むことができる。側面部材は折り畳まれたときに、ほとんどサイト片と平行にかつ直接配置し、お互いに横並びにならなければならない。こうして眼鏡はコンパクトな構造を有しており、ケースのようなものに入れて持ち運びできる。通常、側面部材とサイト片の間に一定の距離が残されており、つまり側面部材が直接にサイト片に接することはない。この問題は特に、フレームと側面部材が比較的大きく屈曲しているときに明らかになる。側面部材とサイト片の間のこの距離によってスペースが無駄になり、眼鏡を持ち運ぶ際に面倒なことになりうる。この距離のために、折り畳まれた側面部材は、眼鏡をその辺に持ち運ぶときに強固なフレームによって十分には保護されない。
【発明の開示】
【発明が解決しようとする課題】
【０００３】
本発明の目的は、側面部材が折り畳まれたときにサイト片に並んで配置されるように、始めに述べたタイプの側面部材を備えた眼鏡を具体化することである。
【課題を解決するための手段】
【０００４】
本発明において、この目的は、側面部材がサイト片の内側に向かって１８０度旋回できることによって達成される。
【発明の効果】
【０００５】
たとえフレームが着用者の頭に最適に合うように大きく屈曲していても、そのような折り畳まれた眼鏡に必要なスペースは、この構造により明らかに削減される。側面部材は決してサイト片から離れたところに位置しないので、安定したフレームによりさらに保護されている。
【０００６】
本発明の別な実施態様として、サイト片と側面部材が屈曲していて、側面部材の曲率半径が、サイト片の曲率半径に少なくともほぼ一致していても好ましい。
【０００７】
二つのほぼ一致した半径により、側面部材は折り畳まれたときに、サイト片に並んでかつ近くに配置され、眼鏡の最適な装着特性が得られる。
【０００８】
さらに側面部材は、折り畳まれた際にサイト片からの距離が変化するように、サイト片の周りに旋回できるよう備えられている。
【０００９】
このようにして側面部材は、折り畳まれた際に、他の側面部材の表面に平行に接することができよう。
【００１０】
好都合な実施態様として、ベアリングが穴の中へ達するピンによって形成されており、ピンのヘッドが穴の直径を超えて突出している。
【００１１】
この構造は、低い費用で製造し、ベアリングの信頼できる機能を得るのに役立つ。
【００１２】
ピンのヘッドはスリットにより分割することができる。
【００１３】
ヘッドの二つの半体を一緒に押すことにより、側面部材とサイト片を簡単に取り付けたり、取り外したりすることができる。
【００１４】
ピンと側面部材が、単一の片を形成していても好都合である。
【００１５】
本発明による眼鏡の製造に必要な部品の数は少なく、低い製造コストが達成される。
【００１６】
本発明の詳細は、以下の好ましい実施態様と図をあわせて読むことにより明らかになるだろう。
【発明を実施するための最良の形態】
【００１７】
１に示す眼鏡はサイト片２と、フレーム３と、側面部材４とを実質的に有し、フレーム３は、鼻掛部６を備えたブリッジ片５と、直径D１を有するほぼ円形な二つの側部の差込口７とを有している。フレーム３の側面にある差込口７と、側面部材４と、フレーム３は単一の片を形成している。サイト片２には、差込口７の付近に凹みが設けられている。さらに、差込口７は直径D２の穴８を有する。差込口７の底部は平坦で、直接かつぴったりと、やはり平坦な起点片９に当接している。
【００１８】
大きく屈曲した側面部材４の高さは、フレーム３に当接している起点片９から減少し、起点片は高さHを有している。起点片９の高さHは、差込口７の直径D１にほぼ一致する。
【００１９】
側面部材４の起点片９は、断面が円形のピン１０をさらに備え、そのピンの基部１１も直径D２を有し、側面部材４と一体化している。基部１１の長さLは、穴８の付近にある差込口７の幅Bに等しい。ほぼ円錐状のずんぐりしたピンのヘッド１２は、より大きな直径D３を有し、それによって、穴８から側方に突出する。
【００２０】
ピン１０を穴８に確実に嵌合することにより、実質的に水平な枢軸１４を備えたベアリング１３が構成される。このベアリング構造により、側面部材４はサイト片２の内側に向かって１８０度折り畳むことができる。サイト片２の曲率R１は側面部材４の曲率R２にほぼ一致し、側面部材４全体は、サイト片２の内側の近くに固定できる。ピンのヘッド１２が穴８を超えて突出するため、ヘッド１２を側面に固定することが実現される。ブリッジ片により、側面部材４がサイト片２に直接接するのを防止される。
【００２１】
ピン１０のヘッド１２は、幅Zのまっすぐで長方形のスリット１５を有し、それによってヘッド１２が二つの半体１６および１７に分割されている。二つの半体１６および１７を一緒に押すことにより、側面部材４をフレーム３からすぐに取り外したり、取り付けたりできる。スリット１５の幅Zは、直径D３と直径D２の差よりも大きくなっている。
【００２２】
突出しているヘッド１２の側面において、安定性の理由から、差込口７の幅は幅Bよりも大きくなっている。
【００２３】
眼鏡１の二つのベアリング１３は基本的に同じであるが、側面部材４が折り畳まれたときにそれぞれの表面に接し平行になるように、その大きさがわずかに違っている。
【００２４】
差込口７は、上部側面１８で広くなっていて、長方形の凹部が設けられている。平行に離間配置されたカバー２０は、差込口７の上部側面１８に設けられており、ピンのヘッド１２を一部覆っている。
【００２５】
さらに二つの比較的小さなピン（図には示されていない）が、起点片９の差込口７に設けられており、側面部材４を折り畳むか、展開するときに、それを固定する。この二つのピンは、側面部材４を最終位置に固定する役目を果たす。
【００２６】
でっぱりと凹みが、側面部材の端（これらの端は旋回可能に配置されている）の内側とフレームの外側に設けられていてもよく、その結果好きな位置に固定することが実現できる。
【図面の簡単な説明】
【００２７】
【図１】本発明による眼鏡の平面図である。
【図２】眼鏡の側面図である。
【図３】ベアリングの断面図である。
【符号の説明】
【００２８】
２  サイト片
３  フレーム
４  側面部材
１４  枢軸
【国際公開パンフレット】
2004526991.tif 000003
2004526991.tif 000004
2004526991.tif 000005
2004526991.tif 000006
2004526991.tif 000007
2004526991.tif 000008
2004526991.tif 000009
2004526991.tif 000010
2004526991.tif 000011
2004526991.tif 000012
2004526991.tif 000013
2004526991.tif 000014
【手続補正書】
【提出日】平成15年2月26日(2003.2.26)
【手続補正１】
【補正対象書類名】特許請求の範囲
【補正対象項目名】請求項１
【補正方法】変更
【補正の内容】
【請求項１】
少なくとも一つのサイト片（２）と、該サイト片（２）または該サイト片に割り当てられたフレーム（３）に接合され、実質的に水平な枢軸（１４）の周りに旋回でき、そして上記サイト片（２）の内側に向かって折り畳むことができる二つの側面部材（４）とを備えて成る眼鏡において、上記側面部材（４）が、１８０度旋回できるように上記サイト片（２）に備えられ、上記サイト片（２）からのその距離が折り畳みに際して変化し、また上記側面部材が折り畳まれた際、他方の表面に接し平行になることを特徴とする眼鏡。
【国際調査報告】
2004526991.tif 000015
2004526991.tif 000016
2004526991.tif 000017
2004526991.tif 000018
2004526991.tif 000019
2004526991.tif 000020